(57)【要約】【課題】サブブラシ２０の毛先３５が水槽５２の底隅部５５に当接した際に、メインブラシ１とサブブラシ２０の毛先か重ならずに、かつ水槽の底面５３をもれなく清掃する。【解決手段】メインブラシ１の長さＬ１方向の端３に、サブブラシ２０を取り付けて清掃装置５０とする。サブブラシ２０は、第一サブブラシ２１と第二サブブラシ３１とからなり、端縁部のブラシ材の幅ｔ２を、メインブラシ１の側の幅ｔ１の２倍以上で形成した。メインブラシ１の端３と水槽５２の隅部５５との間に間隙５７を形成し、サブブラシ２０で間隙５７の総てを清掃できるように配置する。第１サブブラシ２１、第２サブブラシ３１の各ブラシ材２４、３４は、根元から毛先にかけて交叉することなく独立して均一に配置される。【選択図】図５
2010252784.tif 000002
【特許請求の範囲】
【請求項１】
メインブラシの長さ方向の少なくとも一端にサブブラシを取り付けてなり、以下のような条件を総てみたすことを特徴とする水槽の清掃装置。
(1) 前記メインブラシの長さ方向を、前記清掃装置の進行方向に対して、平面視で、略直交又は斜めに配置する。
(2) 前記メインブラシは、基体から毛先を下方に向けて構成する。
(3) 前記サブブラシの毛先方向を、前記メインブラシの一端より外方に向くように、前記メインブラシの毛先方向に対して、所定角度を持たせる。
(4) 清掃時に、前記メインブラシを前記水槽の底に当てて押圧して、前記サブブラシの毛先が前記水槽の底隅部に当接した際に、
前記メインブラシの毛先と前記水槽の側壁との間に間隙を形成する。
(5) 清掃時に、前記メインブラシを前記水槽の底に当てて押圧して、前記サブブラシの毛先が前記水槽の底隅部に当接した際に、
前記サブブラシは前記間隙を清掃できるように配置されるように形成する。
(6) 前記サブブラシのブラシのブラシ幅で、前記メインブラシの進行方向のブラシ幅を、底隅部に当接するブラシ幅をメインブラシ側の２倍以上となるように設定した。
【請求項２】
メインブラシの長さ方向の少なくとも一端にサブブラシを取り付けてなり、以下のような条件を総てみたすことを特徴とする水槽の清掃装置。
(1) 前記メインブラシの長さ方向を、前記清掃装置の進行方向に対して、平面視で、略直交又は斜めに配置する。
(2) 前記メインブラシは、基体から毛先を下方に向けて構成する。
(3) 前記サブブラシの毛先方向を、前記メインブラシの一端より外方に向くように、前記メインブラシの毛先方向に対して、所定角度を持たせる。
(4) メインブラシを押圧しない状態で、前記サブブラシの毛先位置を、前記メインブラシの一端の毛先位置より、下方に突出させる。
(5) メインブラシを押圧しない状態で、前記サブブラシの毛先位置を、前記メインブラシの一端の毛先位置より、外方に突出させる。
(6) メインブラシを押圧しない状態で、平面視で、前記サブブラシの毛先と前記メインブラシの毛先が重ならないように構成する。
(7) 前記サブブラシのブラシのブラシ幅で、前記メインブラシの進行方向のブラシ幅を、底隅部に当接するブラシ幅をメインブラシ側の２倍以上となるように設定した。
【請求項３】
以下のような条件を総てみたすことを特徴とする請求項１又は２記載の水槽の清掃装置。
(1) メインブラシに対して、サブブブラシを、相対位置の変更を可能に取りつける。
(2) 前記サブブラシを、平面視で、前記メインブラシと長さ方向が同じ第１サブブラシと、前記メインブラシと長さ方向が略直角な第２サブブラシとから構成する。
(3) 前記第１サブブラシを、その毛先を少なくとも水槽とメインブラシの間隙に配置され、前記第２サブブラシを、その毛先が水槽の底隅部に沿って配置される構成とした。
【請求項４】
以下のような条件を総てみたすことを特徴とする請求項１又は２記載の水槽の清掃装置。
(1) サブブブラシをサブフレームの下端にブラシ材を突出させて構成する。
(2) 前記サブブラシのブラシ取付面を、メインブラシ側を水平として、端縁部で「４分の１」円で形成し、端縁を鉛直に形成する。
(3) 前記サブブラシのブラシ材の毛先を、前記メインブラシ側から端縁部の中間部まで略水平に揃え、端縁部の中間部からの端縁にかけて略鉛直に揃える。
(4) 前記サブブラシのブラシ材を、前記メインブラシの長さ方向で、根元側及び毛先側で、均一に配置した。
【発明の詳細な説明】
【技術分野】
【０００１】
この発明は、主に水族館や養殖などで魚類等を飼育する水槽に適用する水槽の清掃装置に関する。
【背景技術】
【０００２】
従来、飼育された状態で水槽内を清掃する場合、とりわけ、底と壁の底の周辺に貯まったごみを清掃する装置として種々提案されていた（例えば、特許文献１、２）。
【０００３】
特許文献１の技術では、池などの巾いっぱいの長さの刷毛杆に下向きの刷毛を植えて清掃装置を、刷毛杆の両端に下から外方に向けてコーナー部用の刷毛を植えていた。
【０００４】
また、特許文献２では、装置の下面に、下方に向けて囲まれたブラシカバー内に回転ブラシを設けて、ブラシカバーの内側の範囲を回転ブラシで清掃できるようにした。壁面を清掃する際には装置を回転して、ブラシを壁面に向けて操作する必要があった。
【０００５】
また、飼育された状態で、水が満たされた水槽内を清掃する際に、ブラシが水槽内で動作する時に微量は振動や音により、稚魚が驚き発育に影響を与えるで、このような急激な動きを防止することが求められていた。従って、できるだけ滑らかなで振動の少なく、音がしないように、ブラシが作動することが求められていた。また、ブラシのブラシ材は柔らかい材料である程度の柔らかさで撓った状態で、水槽の内面に当てることが必要であった。
【０００６】
従って、本来サイドブラシは無いほうが滑らかな動きに対しては有効であった。しかし、サイドが無い場合、両サイドに残った残餌や魚糞による菌などの発生で稚魚への影響が懸念されます、よって結局サイドブラシがついた特許文献１のような構造のものが多く使用されていた。
【先行技術文献】
【特許文献】
【０００７】
【特許文献１】実開昭６３−１７５９３９
【特許文献２】特開平９−４７７３５
【発明の概要】
【発明が解決しようとする課題】
【０００８】
前記特許文献１では、コーナー部の刷毛は、他の水槽の底面に当たる刷毛と同様に、単に下方に向けて植えられていたので、なめらかな作動は困難であった。
【０００９】
つまり、特許文献１では、刷毛の毛先を水槽底面に当接しているが、押圧しないで、刷毛を曲げていない状態で、刷毛の毛先と水槽の側面（底の隅部との間に隙間を形成するように、清掃装置を配置して、清掃作業が成されていた。これは上記のように、稚魚にストレスを与えないためであり、この状態で清掃装置を水槽の底面に強く押圧して、刷毛を曲げて、水槽の側壁側の刷毛の毛先を隅部に到達させて、清掃していた。
【００１０】
従って、押圧の調節が不良の場合には、毛先が隅部に至らず、隅部の残餌、魚糞を除去できない問題点があった。また、強く押圧しすぎた場合には、毛先が隅部から側壁側または内方に曲がり過ぎ、やはり隅部の清掃ができない問題点があった。
【００１１】
また、特許文献２では、サイドのブラシが無いので、回転ブラシを極めて静かに回転させれば、なめらかな動きも可能であったが、装置を縦に配置しても横に配置しても隅部（底と壁との境目）はブラシカバーが当たり、隅部の有効な清掃ができなかった。また、水槽内での装置自体を回転しなければならず、なめらかな清掃を阻害していた。
【課題を解決するための手段】
【００１２】
然るにこの発明は、メインブラシの外側に、間隙を設けて、サブブラシを取付け、サブブラシの毛先を外側に向けたので、前記問題点を解決し、水槽の底隅部の清掃の精度を上げ、かつ滑らかな動きのできる清掃装置を提案した。
【００１３】
即ちこの発明は、メインブラシの長さ方向の少なくとも一端にサブブラシを取り付けてなり、以下のような条件を総てみたすことを特徴とする水槽の清掃装置である。  
(1) 前記メインブラシの長さ方向を、前記清掃装置の進行方向に対して、平面視で、略直交又は斜めに配置する。  
(2) 前記メインブラシは、基体から毛先を下方に向けて構成する。  
(3) 前記サブブラシの毛先方向を、前記メインブラシの一端より外方に向くように、前記メインブラシの毛先方向に対して、所定角度を持たせる。  
(4) 清掃時に、前記メインブラシを前記水槽の底に当てて押圧して、前記サブブラシの毛先が前記水槽の底隅部に当接した際に、前記メインブラシの毛先と前記水槽の側壁との間に間隙を形成する。  
(5) 清掃時に、前記メインブラシを前記水槽の底に当てて押圧して、前記サブブラシの毛先が前記水槽の底隅部に当接した際に、前記サブブラシは前記間隙を清掃できるように配置されるように形成する。  
(6) 前記サブブラシのブラシのブラシ幅で、前記メインブラシの進行方向のブラシ幅を、底隅部に当接するブラシ幅をメインブラシ側の２倍以上となるように設定した。
【００１４】
また、他の発明は、メインブラシの長さ方向の少なくとも一端にサブブラシを取り付けてなり、以下のような条件を総てみたすことを特徴とする水槽の清掃装置である。  
(1) 前記メインブラシの長さ方向を、前記清掃装置の進行方向に対して、平面視で、略直交又は斜めに配置する。  
(2) 前記メインブラシは、基体から毛先を下方に向けて構成する。  
(3) 前記サブブラシの毛先方向を、前記メインブラシの一端より外方に向くように、前記メインブラシの毛先方向に対して、所定角度を持たせる。  
(4) メインブラシを押圧しない状態で、前記サブブラシの毛先位置を、前記メインブラシの一端の毛先位置より、下方に突出させる。  
(5) メインブラシを押圧しない状態で、前記サブブラシの毛先位置を、前記メインブラシの一端の毛先位置より、外方に突出させる。  
(6) メインブラシを押圧しない状態で、平面視で、前記サブブラシの毛先と前記メインブラシの毛先が重ならないように構成する。  
(7) 前記サブブラシのブラシのブラシ幅で、前記メインブラシの進行方向のブラシ幅を、底隅部に当接するブラシ幅をメインブラシ側の２倍以上となるように設定した。
【００１５】
また、前記において、以下のような条件を総てみたすことを特徴とする水槽の清掃装置である。  
(1) メインブラシに対して、サブブブラシを、相対位置の変更を可能に取りつける。  
(2) 前記サブブラシを、平面視で、前記メインブラシと長さ方向が同じ第１サブブラシと、前記メインブラシと長さ方向が略直角な第２サブブラシとから構成する。  
(3) 前記第１サブブラシを、その毛先を少なくとも水槽とメインブラシの間隙に配置され、前記第２サブブラシを、その毛先が水槽の底隅部に沿って配置される構成とした。
【００１６】
さらに、前記において、以下のような条件を総てみたすことを特徴とする水槽の清掃装置である。  
(1) サブブブラシをサブフレームの下端にブラシ材を突出させて構成する。  
(2) 前記サブブラシのブラシ取付面を、メインブラシ側を水平として、端縁部で「４分の１」円で形成し、端縁を鉛直に形成する。  
(3) 前記サブブラシのブラシ材の毛先を、前記メインブラシ側から端縁部の中間部まで略水平に揃え、端縁部の中間部からの端縁にかけて略鉛直に揃える。  
(4) 前記サブブラシのブラシ材を、前記メインブラシの長さ方向で、根元側及び毛先側で、均一に配置した。
【００１７】
前記における「底隅部」とは、水槽の底面と側壁面とが交わった部分を指す。
【００１８】
また、前記における「水槽」とは、水を溜めておく設備であり、名称は「飼育池」等、問わない。また、「水槽」の材質も、コンクリート製、硝子製、樹脂製などその材質は任意である。また、「水槽」は壁が垂直又は垂直に近いものに場合には特に有効であるが、形状も壁と底を隔てる隅部を有すれば、壁は垂直又は垂直近い場合に限らず斜めに形成された場合も含み、底も斜めに形成された場合を含む。
【発明の効果】
【００１９】
メインブラシの外側に、間隙を設けて、サイドブラシを取り付けたので、各ブラシを水槽の底側に押圧した場合に、間隙に各ブラシの毛先が至り、水槽底面をくまなく清掃できる。また、サイドブラシが水槽の底隅部に沿って当たるので、水槽の底隅部を有効に清掃できる。
【００２０】
また、サイドブラシの毛先位置や外側に向けても突出角度を調整可能とした場合には、水槽の状態（形状や表面の具合）に応じて、最適な清掃ができる。これは、飼育用の水槽は多くがコンクリート製でその面は決して一定な面ではなくミリ単位で凹凸があるので、清掃開始前又は清掃中に適宜サイドブラシを調節して、滑らかな動きで、最適の清掃ができる。
【図面の簡単な説明】
【００２１】
【図１】この発明の実施例１で（ａ）はブラシのみを表示した平面図、（ｂ）は正面図、（ｃ）は右側面図である。
【図２】この発明の実施例１に使用するサブブラシで、（ａ）は正面図、（ｂ）は右側面図、（ｃ）は毛先のみを表した底面図、（ｄ）は他のサブブラシの毛先のみを表した底面図である。
【図３】この発明の実施例１の清掃装置の使用している図で、（ａ）はメインブラシの毛先を押圧した状態の正面図、（ｂ）はメインブラシの毛先を押圧した状態の右側面図である。
【図４】この発明の実施例１の清掃装置の使用している状態で、清掃装置を平行移動している右側面図で、（ａ）は緩く傾斜させた状態、（ｂ）は大きく傾斜させた状態を表す。
【図５】この発明の実施例２で、（ａ）は一部平面図、（ｂ）は一部正面図、（ｃ）は一部底面図、（ｄ）は清掃中の一部平面図である。
【図６】この発明の実施例２に使用するサブブラシで、（ａ）は正面図、（ｂ）は背面図、（ｃ）は平面図、（ｄ）は底面図、（ｅ）は右側面図、（ｆ）は左側面図である。
【図７】この発明の実施例２の他の実施形態で、（ａ）は一部正面図、（ｂ）は一部平面、（ｃ）は清掃中の一部平面図である。
【図８】この発明の実施例２の他の実施形態に使用するサブブラシで、（ａ）は正面図、（ｂ）は背面図、（ｃ）は平面図、（ｄ）は底面図、（ｅ）は左側面図、（ｆ）は右側面図である。
【発明を実施するための形態】
【００２２】
（１）  メインブラシ１の長さＬ１方向の端３に、サブブラシ２０を取り付けて、清掃装置５０を構成する（図１）。  
（２）  メインブラシ１の長さＬ１方向を、清掃装置５０の進行方向５９に対して、平面視で、略直交して配置する。メインブラシ１は、メインベース（基体）２から毛先６を下方に向けて構成する。  
サブブラシ２０は、長さＬ２１方向の第一サブブラシ２１と、長さＬ２２方向の第二サブブラシ３１とから構成し、長さＬ２１方向と長さＬ２２方向とは互いに略直交する。第一第二サブブラシ２１、３１の毛先２５、３５方向を、メインブラシ１の一端３より外方に向くように、メインブラシ１の毛先方向に対して、所定角度を持たせる。  
メインブラシ１を押圧しない状態で、サブブラシ２０の毛先２５、３５の位置を、メインブラシ１の一端３の毛先６ａ位置より、下方に突出させる。また、メインブラシ１を押圧しない状態で、サブブラシ２０の毛先２５、３５位置を、メインブラシ１の一端３の毛先位置より、外方に突出させる。また、メインブラシ１を押圧しない状態で、平面視で、サブブラシ２０の毛先２５、２５とメインブラシ１の毛先６が重ならないように構成する。  
（３）  従って、清掃時には、メインブラシ１を水槽５２の底５３に当てて押圧して、サブブラシ２０の毛先３５が水槽５２の隅部（底隅部）５５に当接した際に、メインブラシ１の毛先６（６ａ）と水槽５２の側壁５４（隅部５５）との間に間隙５７が形成される。  
また、メインブラシ１を水槽５２の底５３に当てて押圧して、サブブラシ１の毛先３５が水槽５２の隅部５５に当接した際に、サブブラシ２０で間隙５７を清掃できるように配置されている。
【実施例１】
【００２３】
図面に基づきこの発明の実施例を説明する。
【００２４】
（１）メインブラシ１の構成
【００２５】
所定長さL１のメインベース２に、下方に向けて、毛先６、６を揃えて、ブラシ材５を取り付けてメインブラシ１を構成する。  
メインベース２の上面４に、サブブラシ取付用の取付フランジ１１を、取付面１２を縦にして取り付ける。取付フランジ１１の取付面１２で、一端１２ａはメインベース２の端３より内方（メインベース２の中心側）に位置しているが、取付フランジ１１の他端１２ｂは、メインベース２の端３より外方に位置している（図１（ａ）（ｂ））。即ち、取付フランジ１１はメインベース２の端３を挟んで左右（長さＬ１方向）に配置される。
【００２６】
（２）サブブラシ２０の構成
【００２７】
サブブラシ２０は、第一サブブラシ２１と第二サブブラシ３１とからなる。  
第１サブブラシ２１は、長さＬ２１の第１サブベース２２に下方に向けて、毛先２５を揃えてブラシ材２４を取り付けてある。第２サブブラシ３１は、長さＬ２２の第２サブベース３２に下方に向けて、毛先３５を揃えてブラシ材３４を取り付けてある（図２（ａ）（ｂ））。  
メインブラシ１との取付板４１の一面４２の一側４２ａに第１サブブラシ２１の第１サブベース２２の長さ方向一端２３ａ側を固定する。第１サブベース２２の他端２３ｂは、取付板４１の一側４２ａから外方に突出している（図２（ａ）（ｃ））。  
取付板４１の一面４２に、連結部材４４で、第２サブブラシ３２を取り付けて、サブブラシ２０を構成する。第２サブブラシ３１の第２サブベース３２の一端３３ａは、取付板４１から間隙４６を形成して、取り付けられ、第２サブブブラシ３１の第２サブベース３２の一端３３ａと第１サブブラシ２０の第１サブベース２２の一端２３ａとの間に間隙４６を形成する（図１（ａ）（ｂ））。毛先２５、３５付近でもこの間隙４６が維持されている（図１（ｃ））。  
また、上下方向で、第１サブブラシ２１の毛先２５の位置と、第２サブブラシ３１の毛先３５の位置を一致させてある（図２（ａ）（ｂ）。  
また、第２サブブラシ３１のブラシ材３４の並列方向（第２サブベース３２の長さＬ２２方向）は、第１サブブラシ２０のブラシ材２４の並列方向（第１サブベース２２の長さＬ２１方向）と直角に配置される（図２（ｃ））。ここで、清掃装置の進行方向に対して、清掃効率を考慮すれば、直角又は直角に近い構成（４５度〜１３５度）が好ましいが、他の角度でも可能である。  
第１サブブラシ２１のブラシ材２４の長さ及び第２サブブラシ３１のブラシ材３４の長さは、メインブラシ１のブラシ材５の長さより充分長く形成されている。
【００２８】
サブブラシ２０で、端縁部（水槽の底隅部に当接する部分）の幅ｔ２（メインブラシ１が走行する方向）は第２サブブラシ３１の長さＬ２２と同一となる。また、サブブラシ２０のメインブラシ１側の幅ｔ１は、第１サブブラシの幅と同一となる。幅ｔ１は、メインブラシ１が走行する方向で、第一サブベースの前記長さＬ２１と直交する方向となる（図２（ｃ））。したがって、ｔ２はｔ１の５倍程度で形成されている。
【００２９】
サブブラシ２０（第１サブブラシ２１、第２サブブラシ３１）は、幅方向（メインブラシのＬ１方向）で、根元が均一間隔に配置され、毛先も均一間隔に配置され、各ブラシ材２４、３４は交叉せずに配置されている。このような構造は、板ブラシではなく、チャンネルブラシで構成することが望ましい。
【００３０】
（３）清掃装置５０の構成
【００３１】
メインブラシ１の取付フランジ１１の取付面１２に、サブブラシ２０の取付板４１の他面４３を固定する。この状態で、メインブラシ１のブラシ材５の毛先６方向（鉛直下方向）に対して、サブブラシ２０のブラシ材２４、３４の毛先２５、３５方向が角度θとなるように斜めに固定される。  この状態で、両サブブラシ２０、３０の毛先２５、３５は、メインブラシ１の毛先６より下方に位置している（図１（ｂ）（ｃ））。また、両サブブラシ２０、３０の毛先２５、３５は、メインブラシ１の端３の毛先（最も外側に位置する毛先）６ａにより外方に突出して位置している（図１（ｂ））。  
また、この際、取付板４１と取付フランジ１１とはビス１５とナット１６とで取り外し自由に取付られる。また、取付フランジ１１（及び／又は、取付板４１）でビス１５を挿入する孔をな長孔としたので（図示していない）、取付フランジ１１（メインブラシ１）と取付板４１（サブブラシ２０）との取付角度θ、上下左右方向の相対位置を調節可能としてある。  
以上のようにして、清掃装置５０を構成する（図１）。前記において、サブブラシ２０は、メインブラシ１の少なくとも一端３に形成されば良く、両端に同じ構造又は違う構造のサブブラシ２０を取り付けることもできる（図示していない）。  
また、清掃装置５０を構成した状態で、メインブラシ１の長さ方向Ｌ１（清掃装置５０の進行方向に対して直交する方向）に対して、第一サブブラシ２１の長さＬ２１方向は直交する方向、第二サブブラシ３１の長さＬ２２方向は平行な方向に夫々形成されている。
【００３２】
（４）清掃装置５０の使用
【００３３】
清掃装置５０のメインブラシ１の毛先６を水槽５２の底面５３に適宜押圧した際に、メインブラシ１の毛先６（６ａ）は水槽５２の隅部５５に至らず、曲がった状態の毛先６（６ａ）と隅部５５との間に間隙５７を生じる（図１（ｂ））。また、この状態で、メインブラシ１のブラシ材５の曲がり具合にかかわらず、サブブラシ２０（第一第二サブブラシ２１、３１）の毛先２４、３４が隅部５５に当たり（主に第二サブブラシ３１の毛先３４）、かつメインブラシ１の毛先６と隅部５２との間隙５７にも当たるので（主に第一サブブラシ２１の毛先２４）、間隙５７の総てをはじめ、特に隅部５５をはじめ水槽５２の全体をもれなく清掃できる（図３（ａ）（ｂ））。  
また、サブブラシ２０（第一第二サブブラシ２１、３１）の毛先２４、３４は、下方に向けて、かつメインブラシ１の毛先６（６ａ）から離れるように外方（水槽５２の隅部５５側）に向けてあるので、サブブラシ（第一第二サブブラシ２１、３１）の毛先２４、３４は、メインブラシ１の毛先６、６ａと交叉することがなく（または極めて希となり）、毛先２４、３４が重なり、重なるが触れ合わないので、清掃時の振動の発生を大巾に軽減できる。  
通常、メインブラシ１の長さＬ１方向に直交する方向（図４の矢示５９方向）に静かに引かれるので、清掃装置５０の全体が若干、角度α１（数度程度）傾斜した状態で清掃が進められる（図４（ａ））。また、強く引くこともでき、この場合には、角度α２（十数度程度）傾斜した状態で清掃が進められる（図４（ｂ））。尚、図３（ｂ）の状態は、α＝０  として、清掃装置５０が傾斜していない状態を表す。
【００３４】
（５）他の実施例
【００３５】
前記実施例において、サブブラシ２０は、は水槽５２の隅部５５に沿って長さ方向２２を配置した第二サブブラシ３１と、水槽５２とメインブラシ１との間隙５７を清掃できる第一サブブラシ２１とを有する構成であれば、メインブラシ１と第一第二サブブラシ２１、３１との相対位置は任意である。例えば、取付板４１に近い側に第二サブブラシ３１、遠い側に第一サブブラシ２１を配置することもできる（図２（ｄ））。この場合も、ｔ２はｔ１の５倍程度で形成される。
【００３６】
また、前記実施例において、サブブラシ２０は、夫々サブベース２２、３２を持つ第一サブブラシ２１と第二サブブラシ３１と連結部材４４で固定したので、第一サブブラシ２１と第二サブブラシ３１との相対位置の調節も可能であり、好ましいが、連結部材４４を省略して、一体のサブベースにブラシ材２４、３４を取り付けて、サブブラシ２０とすることもできる（図示していない）。
【００３７】
また、前記実施例において、サブブラシ２０を着脱可能で、かつメインブラシ１との相対位置を変更可能としたので、水槽５２の構造等に合わせて、最適の清掃装置５０を構成できるので好ましいが、ある水槽５２専用とした場合には、サブブラシ２０をメインブラシ１とを一体に固定することもできる（図示していない）。
【００３８】
また、前記実施例において、メインブラシ１の長さ方向Ｌ１を装置５０の進行方向５９に対して直角に配置したので水槽５２の底５３の清掃効率上、好ましいが、進行方法５９に対して、所定角度（４５度から１３５度程度）をもって配置することもできる（図示していない）。
【実施例２】
【００３９】
図５〜図８に基づきこの発明の実施例を説明する。
【００４０】
（１）メインブララシ１の構成
【００４１】
メインブラシ１の構成は、前記実施例１と同様である。
【００４２】
（２）サブブラシ２０の構成
【００４３】
サブブラシ２０は、第一サブブラシ２１と第二サブブラシ３１とからなる。
【００４４】
第１サブブラシ２１は、第１サブベース２２に下方に向けて、毛先２５を揃えてブラシ材２４を取り付けてある。第１サブベース２２は、長さＬ２３の直線部に続いて、「４分の１」円の円弧状の端縁部２３ｃを連設してある。端縁部２３ｃでは、「４分の１」円の円弧に沿って放射状になるように毛先２５を設けてあり、鉛直下向きから徐々に斜めとなり先端はほぼ水平に形成される。  
端縁部２３ｃでは、毛先２５を結んだ線は、直線部から端縁部の４５度の部分（中間部）まで、ほぼ水平に揃えられ、４５度の部分（中間部）から端縁までは略垂直となるように揃えてある。したがって、端縁部２３ｃでは、４５度の部分の毛先の長さが最も長く、４５度部分から直線部側、先端側は徐々にブラシ長さが短くなるように形成されている。この４５度部分の毛先２５付近は略直角に形成され、水槽５２の底隅部５５に当接できるようになっている。  
第１サブブラシ２１の幅はｔ１で形成されている。ｔ１は、メインブラシ１が走行する方向で、第一サブベースの前記長さＬ２３と直交する方向となる。  
第一サブベース２２の上面に、メインブラシ１との取付板４１が固定されている。取付板４１には、横方向の長孔からなる取付孔４７、４７が形成されている。
【００４５】
第２サブブラシ３１は、第２サブベース３２に下方に向けて、毛先３５を揃えてブラシ材３４を取り付けてある。第２サブベース３２は、長さＬ２４の直線部に続き、第１サブベース２２と同一形状の「４分の１」円の円弧状の端縁部３３ｃを連設してある。長さＬ２４は、Ｌ２３に比して短く、第二サブベースは、メインブラシ１の長さ方向で、メインブラシ１に至らないように形成にされる。第２サブブラシ３１のブラシ材３４の毛先３５の位置は、第１サブブラシ２１のブラシ材２４の毛先２５の位置と同一に形成されている。  
したがって、第２サブブラシ３１の幅は、第１サブブラシ２１の幅と同じｔ１で形成されている。ｔ１は、メインブラシ１が走行する方向で、第一サブベースの前記長さＬ２３と直交する方向となる。
【００４６】
第１サブベース２２の側面で、ブラシ材２４、３４が横方向で重なるように、第２サブベース３２を固定して、サブブラシ２０を構成する。  
また、この際、毛先２５、３５付近、間隙４６が形成されるので、サブブラシ２０の端縁部のブラシ材２４、３４の厚さｔ２は、
ｔ２＞２×ｔ１
となる。したがって、サブブラシ２０の先端側の「４分の１」円の端縁部ブラシ材２４、３４の厚さｔ２は、メインブラシ１側のブラシ材２４の厚さｔ１に比べて、２倍以上に形成される。
【００４７】
ここで、サブブラシ２０（第１サブブラシ２１、第２サブブラシ３１）は、幅方向（メインブラシのＬ１方向）で、根元が均一な間隔に配置され、毛先も均一な間隔に配置される。このような構造は、板ブラシではなく、チャンネルブラシで構成することが望ましい。  
したがって、第１サブブラシ２１、第２サブブラシ３１の各ブラシ材２４、３４は、根元から毛先にかけて交叉することなく独立して均一に配置される。
【００４８】
（３）清掃装置５０の構成
【００４９】
実施例１と同様に、メインブラシ１の取付フランジ１１の取付面１２に、サブブラシ２０の取付板４１の他面４３を固定する。この際、取付板４１と取付フランジ１１とはビス１５とナット１６とで取り外し自由に取付られる。また、取付フランジ１１の取付孔４７、４７を縦方向（垂直方向）の長孔に形成し、取付板４１の取付孔を横方向（水平方向）の長孔としたので、取付フランジ１１（メインブラシ１）と取付板４１（サブブラシ２０）との取付角度θ、上下左右方向の相対位置を調節可能としてある。
【００５０】
この状態で、メインブラシ１のブラシ材５の毛先６方向（鉛直下方向）に対して、サブブラシ２０のブラシ材２４、３４で、端縁部において、の毛先２５、３５方向が角度θとなるように斜めに固定される（図５（ｂ）（ｃ））。また、両サブブラシ２０、３０の毛先２５、３５は、一部を除き、メインブラシ１の端３の毛先（最も外側に位置する毛先）６ａより外方に突出して位置している（図５（ｂ））。
【００５１】
サブブラシ２０（第１サブブラシ２１、第２サブブラシ３１）で、メインブラシ１の端の毛先６ａより外方に位置する部分が主サブブラシとなり、実施例１のサブブラシ２０に相当する。従って、サブブラシ２０（第１サブブラシ２１）で、メインブラシ１の端の毛先６ａより内側に位置する部分は補助的なブラシとなる。
【００５２】
以上のようにして、清掃装置５０を構成する（図１）。前記において、サブブラシ２０は、メインブラシ１の少なくとも一端３に形成されば良く、両端に同じ構造又は違う構造のサブブラシ２０を取り付けることもできる（図示していない）。  
また、サブブラシを使用する清掃装置５０では、通常ブラシ太さを０．５ｍｍ以上で設定するが、本実施例では０．４ｍｍとして、細く形成して、なめらかな動きで、水槽内をより乱さないように構成する。
【００５３】
（４）清掃装置５０の使用
【００５４】
清掃装置５０のメインブラシ１の毛先６を水槽５２の底面５３に適宜押圧した際に、実施例１と同様に、メインブラシ１の毛先６（６ａ）は水槽５２の隅部５５に至らず、隅部５５との間に間隙５７を生じる（図５（ｂ））。また、この状態で、メインブラシ１のブラシ材５の曲がり具合にかかわらず、サブブラシ２０（第一第二サブブラシ２１、３１）の毛先２４、３４が隅部５５に当たり（主に第二サブブラシ３１の毛先３４）、かつメインブラシ１の毛先６と隅部５２との間隙５７にも当たるので（主に第一サブブラシ２１の毛先２４）、間隙５７の総てをはじめ、特に隅部５５をはじめ水槽５２の全体をもれなく清掃できる（図５（ｂ）（ｃ））。
【００５５】
また、サブブラシ２０（第一第二サブブラシ２１、３１）のブラシ材２４、３４の毛先２５、３５は、下方に向けて、かつメインブラシ１の毛先６（６ａ）から離れるように外方（水槽５２の隅部５５側）に向けてあるので、サブブラシ２０（第一第二サブブラシ２１、３１）の毛先２５、３５は、メインブラシ１の毛先６、６ａと交叉することがなく（または極めて希となり）、ブラシ材２４、３４の毛先２５、３５が重なり、重なりが触れ合わないので、清掃時の振動の発生を大巾に軽減できる。
【００５６】
また、サブブラシ２０（第一第二サブブラシ２１、３１）のサブブラシ２４、３４は、幅方向で根元及び先端のいずれも均一な間隔で配置しているので、清掃装置を斜めにして引いた場合であっても、水槽の底や壁の凹凸に追随して、水槽の面を清掃でき、かつ毛先の交叉を防止できる。
【００５７】
（５）他の実施例
前記実施例において、サブブラシ２０（第一第二サブブラシ２１、３１）のサブベース２２、３２の端縁部２３ｃ、３３ｃと取付板４１の端縁との間に、間隙４１ａが形成されていたが（図５（ｂ）、図６（ａ））、この間隙４１ａを無くすように、取付板４１を大きく形成して、端縁部２３ｃ、３３ｃと一体に形成することもできる（図７、図８）。  
清掃時に、サブブラシ２０（第一第二サブブラシ２１、３１）がはき出すごみ類があまりにも多い場合には、第一第二サブフレーム２２、３２の上方を乗り越えて、進行方向後方にごみが逃れる場合も考えられた。このように形成した取付板４１では、取付板４１の端縁部に塞ぎ部４１ｂが形成されるので（図７（ａ）、図８（ａ）（ｂ））、第一第二サブフレーム２２、３２の上方から集めたごみが乗り越えるおそれを未然に防止できる。従って、大量にごみが蓄積された水槽５０の清掃であっても、支障なく前記効果を維持して清掃できる（図７（ｃ））。
【符号の説明】
【００５８】
１      メインブラシ
２      メインベース
３      メインベースの端
４      メインベースの上面
５      メインベースのブラシ材
６      ブラシ材の毛先
６ａ    最も外側に位置するブラシ材の毛先
１１    取付フランジ（メインブラシ）
１２    取付フランジの取付面
１２ａ  取付フランジの一側
１２ｂ  取付フランジの他側
１５    ビス
１６    ナット
２０    サブブラシ
２１    第１サブブラシ（サブブラシ）
２２    第１サブベース
２３ａ  第１サブベースの一端
２３ｂ  第１サブベースの他端
２３ｃ  第１サブベースの端縁部
２４    第１サブブラシのブラシ材
２５    ブラシ材の毛先
３１    第２サブブラシ（サブブラシ）
３２    第２サブベース
３３ａ  第２サブベースの一端
３３ｂ  第２サブベースの他端
３３ｃ  第２サブベースの端縁部
３４    第２サブベースのブラシ材
３５    ブラシ材の毛先
４１    取付板（サブブラシ）
４１ａ  間隙
４１ｂ  取付板の塞ぎ部
４２    取付板の一面
４２ａ  取付板の一側
４２ｂ  取付板の他側
４３    取付板の他面
４４    連結部材（サブブラシ）
４６    間隙（第一サブブラシと第二サブブラシの間隙）
４７    取付孔
５０    清掃装置
５２    水槽
５３    水槽の底
５４    水槽の側壁
５５    水槽の隅部
５７    間隙（メインブラシと水槽の間隙）
【図１】
2010252784.tif 000003
【図２】
2010252784.tif 000004
【図３】
2010252784.tif 000005
【図４】
2010252784.tif 000006
【図５】
2010252784.tif 000007
【図６】
2010252784.tif 000008
【図７】
2010252784.tif 000009
【図８】
2010252784.tif 000010